(57)【要約】【課題】用途に限定されることなく、簡単な作業で全方向での良好な排水を可能とし、且つ強度や耐久性等にも優れる面状排水材を提供することを目的とする。【解決手段】表面に凹凸を形成することにより連続した空隙を有する略四角形の合成樹脂製面状部材３と、該合成樹脂製面状部材３を被覆する透水シート２とを備えており、透水シート２の任意の１辺に開口部１０を設けるとともに、該開口部１０の裏面側から透水シート２を外側に延設して、延設部２０を形成する。【選択図】図１
2006016875.tif 000002
【特許請求の範囲】
【請求項１】
表面に凹凸を形成することにより連続した空隙を有する略四角形の合成樹脂製面状部材と、該合成樹脂製面状部材を被覆する透水シートとを備えた面状排水材において、透水シートの任意の辺に開口部を設けるとともに、該開口部の表面側と裏面側の少なくとも一方から透水シートを外側に延設したことを特徴とする面状排水材。
【請求項２】
透水シートの隣接する２辺に開口部を設けるとともに、各開口部の表面側と裏面側の少なくとも一方から透水シートを延設したことを特徴とする請求項１記載の面状排水材。
【請求項３】
透水シートの対向する２辺に開口部を設けるとともに、各開口部の表面側と裏面側の少なくとも一方から透水シートを延設したことを特徴とする請求項１記載の面状排水材。
【請求項４】
一方の開口部で表面側から透水シートを延設するとともに、他方の開口部で裏面側から透水シートを延設したことを特徴とする請求項２又は３記載の面状排水材。
【請求項５】
１辺の開口部で表裏両面側から透水シートを延設したことを特徴とする請求項１、２又は３記載の面状排水材。
【請求項６】
合成樹脂製面状部材の凹部の底部及び／又は凸部の頂部に貫通孔を設けたことを特徴とする請求項１、２、３、４又は５記載の面状排水材。
【請求項７】
合成樹脂製面状部材が長尺の帯状体であることを特徴とする請求項１、２、３、４、５又は６記載の面状排水材。
【請求項８】
合成樹脂製面状部材を、ポリオレフィン系樹脂を主成分として形成したことを特徴とする請求項１、２、３、４、５、６又は７記載の面状排水材。
【請求項９】
透水シートを、織布又は不織布により形成したことを特徴とする請求項１、２、３、４、５、６、７又は８記載の面状排水材。
【請求項１０】
合成樹脂製面状部材の片面に織布からなる透水シートを配設するとともに、他の片面に不織布からなる透水シートを配設し、これらの透水シートを接合したことを特徴とする請求項１、２、３、４、５、６、７、８又は９記載の面状排水材。
【請求項１１】
透水シートの織布又は不織布を、合成樹脂繊維で形成したことを特徴とする請求項９又は１０記載の面状排水材。
【発明の詳細な説明】
【技術分野】
【０００１】
本発明は、擁壁の裏面排水、芝地の地中排水等で使用する面状排水材に関し、特に、用途に限定されることなく、簡単な作業で全方向での良好な排水を可能とし、且つ強度や耐久性等にも優れる面状排水材に関するものである。
【背景技術】
【０００２】
従来から、擁壁の裏面排水、芝地の地中排水等で使用する面状排水材は、多種多様な形態で提案され、土木分野において数多く使用されている。
【０００３】
それ等の代表例として、特許文献１には、軟質の偏平な透水性筒状体を複数並べて一体に形成し、両面に多数の突起が交互に突出する凹凸樹脂板を各筒状体に内装し、透水性筒状体を通して内部に流入した水を、突起と突起の間の排水空間を通して排水させ、凹凸樹脂板は耐圧強度が大きいけれども、各筒状体単位に分割されて内装されているので、筒状体の接合部では屈曲自在となる面状排水材が開示されている。
また、特許文献２には、蛇行状の糸状体を多数並列してなる合成樹脂製の芯材が透水性を有する外皮材で被覆され、上記糸状体のループ部の湾曲部分が、その基部分とほぼ同幅かそれよりも幅広であって、且つ、上記外皮材に熱融着されていることを特徴とする面状排水材が開示されている。
【特許文献１】特開平８−１８９３００号公報
【特許文献２】特開昭６３−１１２７６２号公報
【０００４】
しかしながら、前者の特許文献１に開示された面状排水材は、凹凸樹脂板が透水性筒状体単位で分割されていることで、透水性筒状体の長さ方向での排水効率の良好さに比べ横方向で極端に劣り、また、後者の特許文献２に開示された面状排水材は、蛇行状の糸状体を芯材とすることで圧縮強さが小さい等、両者共に用途的に限られるという問題を残している。
さらに、両者共に、面状排水材を連続的に隣接させて用いる場合、良好な排水性を確保するため外皮材を一度切開して芯材同士を接触させた後、その隣接接触部を再び外皮材で被覆するという非常に手間の要する作業を必要とする。
【発明の開示】
【発明が解決しようとする課題】
【０００５】
本発明は、上記従来の面状排水材が有する問題点に鑑み、用途に限定されることなく、簡単な作業で全方向での良好な排水を可能とし、且つ強度や耐久性等にも優れる面状排水材を提供することを目的とする。
【課題を解決するための手段】
【０００６】
上記目的を達成するため、本発明の面状排水材は、表面に凹凸を形成することにより連続した空隙を有する略四角形の合成樹脂製面状部材と、該合成樹脂製面状部材を被覆する透水シートとを備えた面状排水材において、透水シートの任意の辺に開口部を設けるとともに、該開口部の表面側と裏面側の少なくとも一方から透水シートを外側に延設したことを特徴とする。
【０００７】
この場合において、透水シートの隣接する２辺に開口部を設けるとともに、各開口部の表面側と裏面側の少なくとも一方から透水シートを延設することができる。
【０００８】
また、透水シートの対向する２辺に開口部を設けるとともに、各開口部の表面側と裏面側の少なくとも一方から透水シートを延設することができる。
【０００９】
また、一方の開口部で表面側から透水シートを延設するとともに、他方の開口部で裏面側から透水シートを延設することができる。
【００１０】
また、１辺の開口部で表裏両面側から透水シートを延設することができる。
【００１１】
また、合成樹脂製面状部材の凹部の底部及び／又は凸部の頂部に貫通孔を設けることができる。
【００１２】
また、合成樹脂製面状部材を長尺の帯状体とすることができる。
【００１３】
また、合成樹脂製面状部材を、ポリオレフィン系樹脂を主成分として形成することができる。
【００１４】
また、透水シートを、織布又は不織布により形成することができる。
【００１５】
また、合成樹脂製面状部材の片面に織布からなる透水シートを配設するとともに、他の片面に不織布からなる透水シートを配設し、これらの透水シートを接合することができる。
【００１６】
また、透水シートの織布又は不織布を、合成樹脂繊維で形成することができる。
【発明の効果】
【００１７】
本発明の面状排水材によれば、表面に凹凸を形成することにより連続した空隙を有する略四角形の合成樹脂製面状部材と、該合成樹脂製面状部材を被覆する透水シートとを備えた面状排水材において、透水シートの任意の辺に開口部を設けるとともに、該開口部の表面側と裏面側の少なくとも一方から透水シートを外側に延設することから、透水シートの開口部で合成樹脂製面状部材の端部同士を接続して、この接続部においても単独の面状排水材と同等な排水量を確保することができ、広い面積で複数枚を隙間なく用いる場合の排水能力の低下がなく、また、延設した透水シートを接続相手の透水シート上に重ねて接合することにより、接続部への土砂の浸入を完全に防止することができる。
【００１８】
この場合、透水シートの隣接する２辺に開口部を設けるとともに、各開口部の表面側と裏面側の少なくとも一方から透水シートを延設することにより、縦横の碁盤目状の接続が可能になる。
【００１９】
また、透水シートの対向する２辺に開口部を設けるとともに、各開口部の表面側と裏面側の少なくとも一方から透水シートを延設することにより、横並び等の直線状の接続が可能になる。
【００２０】
また、一方の開口部で表面側から透水シートを延設するとともに、他方の開口部で裏面側から透水シートを延設することにより、接続する面状排水材同士で、延設した透水シートを接続相手の表面と裏面に相互に接合することができる。
【００２１】
また、１辺の開口部で表裏両面側から透水シートを延設することにより、延設した透水シートを接続相手の表面と裏面に接合することができる。
【００２２】
また、合成樹脂製面状部材の凹部の底部及び／又は凸部の頂部に貫通孔を設けることにより、水の通過状態が定性化され、より面状排水材内部の水量が均等化される。
【００２３】
また、合成樹脂製面状部材を長尺の帯状体とすることにより、排水処理量が大きくなり、また、長尺方向での接続作業を減少させることになる。
【００２４】
また、合成樹脂製面状部材を、ポリオレフィン系樹脂を主成分として形成することにより、腐食することなく必要な強度や柔軟性を長期に亘って維持し、且つ環境汚染の問題を回避することができる。
【００２５】
また、透水シートを、織布又は不織布により形成することにより、織布や不織布のグレードによって必要な透水水準や強度を簡単に選択することができる。
【００２６】
また、合成樹脂製面状部材の片面に織布からなる透水シートを配設するとともに、他の片面に不織布からなる透水シートを配設し、これらの透水シートを接合することにより、使用する状況に応じて、織布や不織布それぞれの特色を生かすことができる。
【００２７】
また、透水シートの織布又は不織布を、合成樹脂繊維で形成することにより、透水シートを、腐食することなく必要な強度や柔軟性を長期に亘って維持することができる。
【発明を実施するための最良の形態】
【００２８】
以下、本発明の面状排水材実施の形態を、図面に基づいて説明する。
【実施例１】
【００２９】
図１に、本発明の面状排水材１の第１実施例示す。
この面状排水材１は、表面に凹凸を形成することにより連続した空隙を有する略四角形の合成樹脂製面状部材３と、該合成樹脂製面状部材３を被覆する透水シート２とを備えており、透水シート２の任意の１辺に開口部１０を設けるとともに、該開口部１０の裏面側から透水シート２を外側に延設して、延設部２０を形成している。
なお、この面状排水材１では、図示右側の１辺のみに開口部１０を形成しているが、例えば、図示左側の辺にも開口部１０を形成することができる。この場合、左側の辺の開口部１０には、透水シート２の延設部２０を必ずしも設ける必要はない。
【００３０】
また、合成樹脂製面状部材３は、図２にも示すように、その表面と裏面の両方にそれぞれ規則性を持たして中空で同形状の凹部３１と凸部３２が設けられており（表面側の凹部３１は裏面側の凸部３２となる）、その凹部３１の底部と凸部３２の頂部には貫通孔３０が設けられている。
【００３１】
このような合成樹脂製面状部材３には、耐食性が良好なことから合成樹脂が好適に使用でき、また、成形性が良好なことから熱可塑性樹脂が好まれ、中でも、汎用性の高い、ポリビニル系の塩化ビニルや酢酸ビニル等、ポリオレフィン系のポリエチレン、ポリプロピレン等、これら合成樹脂の混合体、これら合成樹脂とエチレン−酢酸ビニル等の共重合体類やエラストマ−類や変性ポリオレフィン類等のとの混合物がより好適に使用でき、公害要因が少ないことからポリオレフィン系の合成樹脂が最適に使用できることになる。
また、天然、合成を問わずゴム等も合成樹脂製面状部材３に使用できることは言うまでもない。
【００３２】
また、透水シート２には、天然、合成を問わず繊維からなる織布や不織布が使用でき、防食性の高さから合成繊維が好適に使用できることになる。この場合、織布や不織布は厚み、強度、空隙率、価格等において、それぞれ多くの品種があり、これらは使用状況とその設計に応じて適宜選択すればよい。
【００３３】
また、開口部１０では、複数の合成樹脂製面状部材３の端部同士を、透水シート２で遮ることなく直接接続することができ、この接続部においても単独の面状排水材１と同等の排水量を確保することができ、これにより、広い面積で複数枚を隙間なく用いる場合の排水能力の低下がなく、また、透水シート２の延設部２０を接続相手先の透水シート２上に重ね接合することで、接続部への土砂の浸入を完全に防止することができる。
【００３４】
また、透水シート２の隣接する２辺に開口部１０を設けるとともに、各開口部１０の表面側と裏面側の少なくとも一方から透水シート２を延設することにより、縦横の碁盤目状の接続が可能になる。
さらに、透水シート２の対向する２辺に開口部１０を設けるとともに、各開口部１０の表面側と裏面側の少なくとも一方から透水シート２を延設することにより、横並び等の直線状の接続が可能になる。
【００３５】
また、一方の開口部１０で表面側から透水シート２を延設するとともに、他方の開口部１０で裏面側から透水シート２を延設することにより、接続する面状排水材同士で、延設した透水シート２を接続相手の表面と裏面に相互に接合することができる。
そして、１辺の開口部１０で表裏両面側から透水シート２を延設することにより、延設した透水シート２を接続相手の表面と裏面に接合することができる。
【００３６】
また、合成樹脂製面状部材３の凹部の底部及び／又は凸部の頂部に貫通孔を設けることにより、水の通過状態が定性化され、より面状排水材内部の水量が均等化され。
また、合成樹脂製面状部材３を長尺の帯状体とすることにより、排水処理量が大きくなり、また、長尺方向での接続作業を減少させることになる。
【００３７】
また、合成樹脂製面状部材３を、ポリオレフィン系樹脂を主成分として形成することで、腐食することなく必要な強度や柔軟性を長期に亘って維持し、且つ、環境汚染の問題が回避でき、また、透水シート２が織布又は不織布であれば、これらのグレードによって簡単に必要な透水水準や強度を選択することができる。
【００３８】
また、合成樹脂製面状部材３の片面に織布からなる透水シート２を配設するとともに、他の片面に不織布からなる透水シート２を配設し、これらの透水シート２を接合することにより、使用する状況に応じて、織布や不織布それぞれの特色を生かすことができる。
さらに、透水シート２の織布又は不織布を、合成樹脂繊維で形成することにより、透水シート２を、腐食することなく必要な強度や柔軟性を長期に亘って維持することができる等、経済的で且つ材料選択の幅が大きく広がることになる。
【実施例２】
【００３９】
図３〜図５に、本発明の面状排水材１のそれぞれ第２〜第４実施例を示す。
この第２〜第４実施例も、第１実施例と同じように、表面に凹凸を形成することにより連続した空隙を有する略四角形の合成樹脂製面状部材３と、該合成樹脂製面状部材３を被覆する透水シート２とを備えている。
図３に示す第２実施例は、透水シート２の隣接する２辺に開口部１０を設け、一方の開口部１０で表面側から透水シート２を延設して延設部２０を形成するとともに、他方の開口部１０で裏面側から透水シート２を延設して延設部２０を形成している。
【００４０】
また、図４に示す第３実施例は、透水シート２の対向する２辺に開口部１０を設け、一方の開口部１０で表面側から透水シート２を延設して延設部２０を形成するとともに、他方の開口部１０で裏面側から透水シート２を延設して延設部２０を形成している。
【００４１】
また、図５に示す第４実施例は、１辺の開口部１０で、表裏両面から透水シート２を延設して延設部２０を形成している。
なお、図示左側の辺にも開口部１０を形成することができる。この場合、左側の辺の開口部１０には、透水シート２の延設部２０を必ずしも設ける必要はない。
【００４２】
本発明の面状排水材１の場合、透水シート２からなる延設部２０は、必要に応じて、各辺の表面側若しくは裏面側又は両面側に設けることができるが、適宜、すべてその設計に委ねられることになり、透水、通水、耐久等の性能においても同様となる。
【００４３】
次いで、図６に、本発明の面状排水材１の第５実施例を示す。
この第５実施例も、第１〜第４実施例と同じように合成樹脂製面状部材３と透水シート２で構成するものであり、面状排水材１が長尺の帯状体からなる。
そして、この面状排水材１は、透水シート２の長尺の２辺に開口部１０を設け、一方の開口部１０で、表裏両面から透水シート２を延設し、面状排水材１の長尺辺同士を横並びに接続している。
なお、この場合、１つの開口部１０で２枚の延設部２０を形成する代わりに、表面側から透水シート２を延設し、他方の開口部１０で裏面側から透水シート２を延設することもできる。
【００４４】
また、本実施例の面状排水材１において、透水シート２と合成樹脂製面状部材３との接合手段は、接着、粘着、溶着、ビス止め、ホッチキス止め等がある。
そして、延設部２０と隣接する透水シート２との接合は、単に重ねるだけでもよく、また、上記と同様な接合手段を採用してもよい。
これらは、適宜、面状排水材１の製造設計、使用状況により決められるものとなる。
【００４５】
以上、本発明の面状排水材について、その実施例に基づいて説明したが、本発明は上記実施例に記載した構成に限定されるものではなく、その趣旨を逸脱しない範囲において適宜その構成を変更することができる。
【産業上の利用可能性】
【００４６】
本発明の面状排水材は、地中排水が特に切望される分譲住宅等の盛り土の平面、屋上庭園等の斜面、擁壁等の垂直面等において、山間や都市部に限られず、あらゆる地域で好適に用いることができる。
【図面の簡単な説明】
【００４７】
【図１】本発明の面状排水材の第１実施例を示し、（ａ）は一部を切り欠いた斜視図、（ｂ）は一部を切り欠いた平面図、（ｃ）は断面図である。
【図２】同実施例の面状排水材を示し、（ａ）は正面図、（ｂ）は（ａ）のＡ−Ａ線断面図、（ｃ）は（ａ）のＢ−Ｂ線断面図である。
【図３】本発明の面状排水材の第２実施例を示す斜視図である。
【図４】本発明の面状排水材の第３実施例を示す斜視図である。
【図５】本発明の面状排水材の第４実施例を示す斜視図である。
【図６】本発明の面状排水材の第５実施例を示す平面図である。
【符号の説明】
【００４８】
１    面状排水材
１０  開口部
２    透水シート
２０  延設部
３    合成樹脂製面状部材
３０  貫通孔
３１  合成樹脂製面状部材の凹部
３２  合成樹脂製面状部材の凸部
【図１】
2006016875.tif 000003
【図２】
2006016875.tif 000004
【図３】
2006016875.tif 000005
【図４】
2006016875.tif 000006
【図５】
2006016875.tif 000007
【図６】
2006016875.tif 000008